(57)【要約】  クライアントデバイスが周囲の音波形を周期的にキャプチャし、キャプチャ済み音波形に基づいてクライアントデバイス自体のデバイス構成を変更する。特定の実施形態では、クライアントデバイスは波形フィンガープリントを生成し、フィンガープリントを分析のためにサーバにアップロードする。サーバは、フィンガープリントを、記憶済み波形フィンガープリントのデータベースと比較し、一致するものが見つかると、コンテンツまたはその他の情報をクライアントデバイスにプッシュ配信する。データベース内のフィンガープリントは、他のユーザによってアップロードされたものであってよく、共通の位置またはその他の社会的要因に基づいて、クライアントの受信した波形フィンガープリントと比較されてもよい。したがって、フィンガープリントがクライアントのフィンガープリントと一致するユーザの位置がわかれば、クライアントの位置の精度を向上させることができ、サーバはその精度を向上させた位置に基づいて、デバイス構成を変更する命令をデバイスに送信することができる。
2014532892.tif 000002
【特許請求の範囲】
【請求項１】
方法であって、コンピューティングシステムによって、
周囲の音データをキャプチャするステップと、
前記周囲の音データの波形分析を実行するステップと、
前記波形分析に基づいて１または複数のデバイス設定を調整するステップと、を備える方法。
【請求項２】
前記波形分析を実行するステップは、前記周囲の環境の音量レベルを決定することを含む、請求項１に記載の方法。
【請求項３】
前記デバイス設定を調整するステップは、前記コンピューティングシステムの呼出音量を前記周囲の環境の前記音量レベルに一致させることを含む、請求項２に記載の方法。
【請求項４】
前記デバイス設定を調整するステップは、前記周囲の環境の前記音量レベルが所定の閾値を超える場合、振動モードを有効化することを含む、請求項２に記載の方法。
【請求項５】
前記デバイス設定を調整するステップは、前記周囲の環境の前記音量レベルが所定の閾値を下回る場合、振動モードを有効化することを含む、請求項２に記載の方法。
【請求項６】
前記コンピューティングシステムの自己決定済み位置を計算するステップと、
キャプチャされた前記周囲の音データの波形フィンガープリントを生成するステップと、
前記波形フィンガープリントおよび前記自己決定済み位置をサーバに送信するステップと、
１または複数のデバイス設定を調整する命令を前記サーバから受信するステップと、
受信した前記命令に従って１または複数のデバイス設定を調整するステップと、をさらに備える、請求項１に記載の方法。
【請求項７】
方法であって、１または複数のコンピューティングシステムによって、
クライアントから波形フィンガープリントおよびクライアントが決定したクライアント決定位置を受信するステップと、
受信した前記波形フィンガープリントを、記憶済み波形フィンガープリントのデータベースと比較するステップであって、該記憶済み波形フィンガープリントのそれぞれがオブジェクトデータベース内のオブジェクトに関連付けられている、前記ステップと、
前記波形フィンガープリントのデータベースから１または複数の一致するフィンガープリントを見つけるステップと、
前記クライアントの１または複数のデバイス設定を調整する１または複数の命令を送信するステップと、を備える方法。
【請求項８】
前記クライアント決定位置の近隣における１または複数の地理的位置に関連付けられた１または複数の外部データベースを検索するステップと、
前記１または複数の一致するフィンガープリントに関連付けられた１または複数の前記オブジェクトについて一致が見つかると、前記一致が見つかった前記データベースに関連付けられた位置を前記クライアントに割り当てるステップと、をさらに備え、
１または複数のデバイス設定を調整する前記１または複数の命令は、前記位置に基づく、請求項７に記載の方法。
【請求項９】
前記記憶済み波形フィンガープリントは、ソーシャルネットワーク上のノードによって表された、１または複数の他のユーザからのアップロードされた波形フィンガープリント
を含み、方法は、
１または複数の他のノードであって、該１または複数の他のノードのアップロードされたフィンガープリントが前記受信した波形フィンガープリントと一致する１または複数の他のノードに関連付けられた位置情報をソーシャルグラフに照会するステップをさらに備え、
１または複数のデバイス設定を調整する前記１または複数の命令は、前記照会に応答して前記ソーシャルグラフによって返された前記位置情報に基づく、請求項７に記載の方法。
【請求項１０】
位置情報は特定の地理的位置へのチェックインを含む、請求項７に記載の方法。
【請求項１１】
位置情報は特定のイベントへの出欠返信依頼を含む、請求項７に記載の方法。
【請求項１２】
前記１または複数の命令によって、前記クライアントに該クライアントの呼出音量を大きくするよう命令することが可能である、請求項７に記載の方法。
【請求項１３】
前記１または複数の命令によって、前記クライアントに該クライアントの呼出音量を小さくするよう命令することが可能である、請求項７に記載の方法。
【請求項１４】
前記１または複数の命令によって、前記クライアントに振動モードを有効化するよう命令することが可能である、請求項７に記載の方法。
【請求項１５】
非一時的コンピュータ可読記憶媒体であって、１または複数のコンピューティングシステムによって実行されると、
周囲の音データをキャプチャし、
前記周囲の音データの波形分析を実行し、
前記波形分析に基づいて１または複数のデバイス設定を調整するよう動作可能な命令を含む、媒体。
【請求項１６】
前記波形分析を実行することは前記周囲の環境の音量レベルを決定することを含む、請求項１５に記載の媒体。
【請求項１７】
前記デバイス設定を調整することは、前記コンピューティングシステムの呼出音量を前記周囲の環境の音量レベルに一致させることを含む、請求項１６に記載の媒体。
【請求項１８】
前記デバイス設定を調整することは、前記周囲の環境の音量レベルが所定の閾値を超える場合、振動モードを有効化することを含む、請求項１６に記載の媒体。
【請求項１９】
前記デバイス設定を調整することは、前記周囲の環境の音量レベルが所定の閾値を下回る場合、振動モードを有効化することを含む、請求項１６に記載の媒体。
【請求項２０】
媒体であって、１または複数のコンピューティングデバイスによって実行されると、
前記コンピューティングシステムの自己決定済み位置を計算し、
キャプチャされた前記周囲の音データの波形フィンガープリントを生成し、
前記波形フィンガープリントおよび前記自己決定済み位置をサーバに送信し、
前記サーバから１または複数のデバイス設定を調整する命令を受信し、
受信した前記命令に従って１または複数のデバイス設定を調整するよう動作可能な命令をさらに含む、請求項１５に記載の媒体。
【発明の詳細な説明】
【技術分野】
【０００１】
本開示は、一般に携帯デバイスのセンササブシステムを使用して波形データを周期的にキャプチャし、動的デバイス構成のために波形のフィンガープリントを生成することに関する。
【背景技術】
【０００２】
ソーシャルネットワーキングウェブサイトなどのソーシャルネットワーキングシステムは、ユーザとそのソーシャルネットワーキングシステムとの対話、およびシステムを通じたユーザ同士の対話を可能にする。ソーシャルネットワーキングシステムは、大抵ユーザプロファイルと呼ばれる記録を、ユーザと関連付けて生成し記憶する。ユーザプロファイルには、ユーザの人口学的情報、通信チャネル情報、および個人的関心などが含まれる。また、ソーシャルネットワーキングシステムは、ユーザとソーシャルネットワーキングシステム内の他のユーザとの関係の記録（例えばソーシャルグラフ）を作成して記憶し、サービス（ウォール投稿、写真の共有、インスタントメッセージなど）を提供して、ソーシャルネットワーキングシステム内のユーザ間の社会的対話を促すこともできる。ジオソーシャルネットワーキングシステムは、地理的サービスおよび地理的機能を使用して、付加的な社会的対話を可能にするソーシャルネットワーキングシステムである。ユーザ提供された位置データまたは地理的位置情報技法（例えば携帯電話の位置追跡）により、ジオソーシャルネットワークが、ユーザを地域の人やユーザの関心に合った地域のイベントに結びつけ、連係させることをできるようにする。例えば、ユーザは、場所の名前を提供することにより（または予め設定された場所のリストから場所を選択することにより）、モバイルクライアントアプリケーションを使用して任意の場所にチェックインすることができる。ジオソーシャルネットワーキングシステムは、とりわけその場所にユーザが存在することに関する情報を記録し、場合によってはその情報をジオソーシャルネットワーキングシステムの他のユーザに提供することなどもできる。
【図面の簡単な説明】
【０００３】
【図１】例示のソーシャルネットワーキング環境を示す図。
【図２】例示のユーザデバイスを示す図。
【図３】ソーシャルネットワーキングシステムが、携帯デバイスの設定を調整するか否か、およびどのような設定を調整するかを決定するために利用可能な例示のデータソースを示す図。
【図４】自己報告された地理的位置が同一の近隣に存在する、ソーシャルネットワーキングシステムの３人のユーザの例を示す図。
【図４Ａ】図３の３人のユーザを表すソーシャルグラフの例示の部分を示す図。
【図５】オンラインデータベースで検索したキャプチャ済み周囲音に基づいてデバイス設定を調整する例示の方法を示す図。
【図６】ソーシャル情報に基づいてデバイス設定を調整する例示の方法を示す図。
【図７】例示のコンピュータシステムを示す図。
【発明を実施するための形態】
【０００４】
特定の実施形態は、周囲音条件に基づき、携帯デバイス設定を自動的に調整するという特徴を含むジオソーシャルネットワーキングシステムに関する。また、本開示は、ジオソーシャルネットワーキングシステムの複数のユーザからの波形データの周期的なアップロードから算出したソーシャルデータに基づいて、携帯デバイスの設定を調整することに関する。本開示の前記およびその他の特徴、態様および利点について、添付図面とともに以下の詳細な説明でより詳細に述べる。
【０００５】
本発明について、添付図面に示すいくつかの実施形態を参照しながら以下に詳述する。以下の説明では、本開示を十分に理解することができるように多くの特定の詳細を記載する。しかし、本開示は、これらの特定の詳細の一部または全部が存在しなくても実施可能であることが当業者には明らかである。また、本開示が無用にわかりにくくならないように、周知のプロセスステップおよび／または構造については詳細には説明しない。さらに、本開示を特定の実施形態とともに説明するが、以下の説明は、本開示を記載の実施形態に限定することを意図するものではないことが理解されるであろう。逆に、以下の説明は、添付の特許請求の範囲によって特定される本開示の趣旨および範囲に含まれる代替、変更、および均等物を網羅することを意図している。
【０００６】
ソーシャルネットワーキングウェブサイトなどのソーシャルネットワーキングシステムは、ユーザがソーシャルネットワーキングシステムと対話し、またシステムを通じてユーザ同士が対話することができるようにする。一般に、ソーシャルネットワーキングシステムの登録ユーザになるためには、人間または人間以外の実体は、ソーシャルネットワーキングシステムにアカウント登録をする。その後、登録ユーザは、例えばアカウントを通じて正しいログインＩＤまたはユーザ名およびパスワードを提供することによって、ソーシャルネットワーキングシステムにログインすることができる。本明細書では、「ユーザ」は、そのようなソーシャルネットワーキング環境と、またはソーシャルネットワーキング環境を通じて、対話または通信する個人（人間のユーザ）、実体（例えば企業、事業所または第三者アプリケーション）、グループ（例えば個人または実体のグループ）であってもよい。
【０００７】
ユーザがソーシャルネットワーキングシステムにアカウント登録すると、ソーシャルネットワーキングシステムは、大抵「ユーザプロファイル」と呼ばれる記録を作成し、ユーザと関連付けて記憶することができる。ユーザプロファイルは、そのユーザにより提供された情報および、ソーシャルネットワーキングシステムを含む様々なシステムによって収集された、ユーザのアクティビティまたは行動に関する情報を含み得る。例えば、ユーザは、自分の名前、プロファイル画像、連絡先情報、誕生日、性別、婚姻状況、家族関係、勤務先、学歴、趣味、関心、および、自分のユーザプロファイルに含めたいその他の人口学的情報を提供することができる。ユーザは、自分が友達とみなすソーシャルネットワーキングシステムの他のユーザを特定することもできる。ユーザの友達または一次連絡先（一次コンタクト）のリストをユーザのプロファイルに含めてもよい。ソーシャルネットワーキングシステム内のつながり（接続）は双方向であっても単に一方向であってもよい。例えば、ボブとジョーの両者が共にユーザであって互いにつながりがある場合、ボブとジョーのそれぞれは他方にとってつながりである。一方、ボブがサムの投稿コンテンツアイテムを閲覧するためにサムとつながりたいが、サムはボブとつながることを選択しない場合、一方向のつながりを形成することができ、その場合、サムはボブのつながりであるがボブはサムのつながりではない。ソーシャルネットワーキングシステムの一部の実施形態では、つながりは、１または複数のつながりレベル（例えば友達の友達）を通じた間接的なものであってもよい。つながりは、例えばユーザが、特定の他のユーザを友達として選択することによってユーザにより明示的に追加されるか、またはユーザの共通の特徴（例えば同じ教育機関の同窓生であるユーザ）に基づいてソーシャルネットワーキングシステムにより自動的に作成されてもよい。ユーザは、頻繁に閲覧するウェブサイトまたはウェブページを特定、またはブックマークに加えることができ、それらのウェブサイトまたはウェブページをユーザのプロファイルに含めることができる。
【０００８】
ユーザは、ユーザがアカウント登録するとき、またはその後で、ユーザの様々な側面に関する情報（連絡先情報および関心など）に関する情報を提供してもよい。また、ユーザは自分のプロファイル情報を随時更新することができる。例えば、ユーザが転居または電
話番号を変更する場合、ユーザは自分の連絡先情報を更新することができる。さらに、時間の経過とともにユーザの関心が変化する可能性があり、ユーザはプロファイル内の自分の関心対象を随時更新してもよい。ソーシャルネットワーク上の特定の情報へのアクセス頻度など、ユーザのソーシャルネットワーキングシステム上でのアクティビティによっても、ユーザのプロファイルに含め得る情報を提供してもよい。この場合も、そのような情報は、ユーザの最新のアクティビティを反映させるように随時更新され得る。さらにまた、他のユーザ、友達、または連絡先も、ユーザのプロファイルに作用または更新を加えるアクティビティを行うことができる。例えば、連絡先がユーザを友達として追加する（またはユーザを友達から削除する）ことができる。連絡先は、メッセージをユーザプロファイルページに書き込むこともできる（通常ウォール投稿として知られている）。ユーザは、ユーザのプロファイルページに投稿される状況メッセージを入力することもできる。
【０００９】
ソーシャルネットワークシステムは、ソーシャルグラフ情報を維持することが可能であり、ソーシャルグラフ情報は、一般に、個人のグループ間の関係をモデリングすることができ、単なる知人から親密な家族関係に至るまでの関係を含めることができる。ソーシャルネットワークは、グラフ構造を使用して表されることができる。グラフの各ノードは、ソーシャルネットワークのメンバに対応する。２つのノード同士を結合するエッジによって二者のユーザ間の関係を表す。さらに、２つのノード間の分離度は、一方のノードから他方のノードまでグラフ上を移動するのに必要な最小ホップ数で定義される。二者のユーザ間の分離度は、グラフ内のそれらのノードによって表されるユーザ二者間の関連度とみなすことができる。
【００１０】
ソーシャルネットワーキングシステムは、写真の共有、オンラインカレンダ、イベントなどの様々なアプリケーションに対応することができる。例えば、ソーシャルネットワーキングシステムは、媒体共有機能を備えていてもよい。例えば、ソーシャルネットワーキングシステムは、ユーザが写真およびその他のマルチメディアファイルを、ウォール投稿内または写真アルバム内など、ユーザのプロファイルに投稿することができるようにしてもよく、ウォール投稿と写真アルバムは両方ともソーシャルネットワーキングシステムの他のユーザがアクセス可能であってもよい。ソーシャルネットワーキングシステムは、ユーザがイベントを構成することができるようにしてもよい。例えば、第１のユーザが、イベントの日時、イベントの場所およびイベントに招待された他のユーザを含む属性によってイベントを構成してもよい。招待されたユーザは、イベントへの招待状を受け取り、（招待を受け入れるかまたは辞退するなどにより）応答することができる。さらに、ソーシャルネットワーキングシステムは、ユーザがパーソナルカレンダを維持することができるようにしてもよい。イベントと同様、カレンダの項目には、時刻、日付、場所および他のユーザの識別情報を含むことができる。
【００１１】
また、ソーシャルネットワーキングシステムは、プライバシモデルに対応することもできる。ユーザは、自分の情報を他のユーザまたは第三者アプリケーションと共有したいと望むことも望まないこともあり、またはユーザは、自分の情報を特定のユーザまたは第三者アプリケーションとのみ共有したいと望むこともある。ユーザは、自分の情報を他のユーザまたは第三者アプリケーションと共有するか否かを、自分のユーザプロファイルに関連付けられたプライバシ設定によって管理することができる。例えば、ユーザは、ユーザに関連付けられたユーザデータごとにプライバシ設定を選択、および／または、全般に適用されるように（グローバルに）選択するかまたはユーザプロファイル情報のカテゴリまたは種類に適用される設定を選択することができる。プライバシ設定により、ユーザデータにアクセス可能な実体（例えば他のユーザ、ユーザのつながり、友達の友達、または第三者アプリケーション）のセットが定義または特定される。プライバシ設定は、ソーシャルネットワーク内の特定の実体（例えば他のユーザ）、ユーザのつながりの事前定義されたグループ、特定の種類のつながり、ユーザのすべてのつながり、ユーザのつながりのう
ちのすべての一次つながり、ソーシャルネットワーク全体、さらには（例えば投稿コンテンツアイテムをインターネット上でインデックス付け可能または検索可能にするために）インターネット全体を指定するなどして、様々なレベルの粒度で指定することができる。ユーザは、投稿するユーザデータすべてについてデフォルトのプライバシ設定を選択することもできる。さらに、ユーザは、特定の実体がユーザデータまたは特定の種類のユーザデータを閲覧しないように明確に除外することも可能である。ソーシャルネットワーキングシステムは、地理的位置または場所に関する情報のデータベースを維持してもよい。場所は、レストラン、バー、駅、空港など、様々な物理的位置に対応し得る。場所の中には、空港内のレストランまたはゲート付近など、それ自体が場所を含むより大きな領域に対応しているものがあってもよい。一実施態様では、本願明細書に援用する米国特許出願第１２／８６３１８１号に記載されているように、各場所をソーシャルネットワーキングシステムによって維持されているソーシャルグラフまたはその他のデータ構造内のハブノードとして維持することができる。ソーシャルネットワーキングシステムは、ユーザが、ラップトップ、デスクトップまたは携帯デバイスなどの有線局または無線局でホストされているクライアントアプリケーション（例えばブラウザ）を使用して、各場所に関する情報にアクセスすることができるようにしてもよい。例えば、ソーシャルネットワーキングシステムは、場所に関する情報を要求するユーザに対してウェブページ（またはその他の構造化文書）を提供してもよい。ユーザプロファイルおよび場所情報に加えて、ソーシャルネットワーキングシステムは、ユーザに関するその他の情報を追跡または維持してもよい。例えば、ソーシャルネットワーキングシステムは、ユーザの位置を記録する１または複数の位置ベースのサービスを含むジオソーシャルネットワーキングシステム機能に対応することができる。例えば、ユーザは、ユーザの携帯デバイスでホストされている専用クライアントアプリケーション（またはブラウザクライアントを使用するウェブベースまたはネットワークベースのアプリケーション）を使用してジオソーシャルネットワーキングシステムにアクセスすることができる。クライアントアプリケーションは、全地球測位システム（ＧＰＳ）または、携帯デバイスに対応しているその他の地理的位置情報機能に自動的にアクセスし、ユーザの現在位置をソーシャルネットワーキングシステムに報告することができる。さらに、クライアントアプリケーションは、ユーザが様々な位置にチェックインして、その位置を他のユーザに伝えることができるようにするジオソーシャルネットワーキングシステムに対応してもよい。ユーザが任意の場所に物理的に位置し、携帯デバイスを使用してジオネットワーキングシステムにアクセスし、その場所にユーザの存在を登録すると、所与の場所へのチェックインが発生してもよい。ユーザは、ユーザの現在位置付近の既存の場所のリストから場所を選択するか、または新たな場所を作成することができる。ユーザは、所与の場所にチェックインしたときに文字列でコメントを提供することもできる。また、ユーザは、チェックインに関連して１または複数のユーザ（ユーザの友達など）を特定し、それらのユーザをチェックインに関連付けることもできる。本願明細書にあらゆる目的で援用する米国特許出願第１２／５８４６１４号には、第１のユーザが任意の場所で他のユーザをチェックインすることができるシステムが記載されている。コメントと、ユーザがチェックインした時刻に対応するタイムスタンプを含む記載を、他のユーザに対して表示してもよい。例えば、ユーザのチェックインアクティビティの記録をデータベースに記憶してもよい。ソーシャルネットワーキングシステムは、任意の場所でのユーザのチェックインアクティビティに関連付けられた１または複数の記録を選択し、所与の場所に対応するウェブページ（またはその他の構造化文書）にそのようなチェックインアクティビティを含めることができる。例えば、ソーシャルネットワーキングシステムは、場所に対応するページを要求するユーザの友達またはその他のソーシャルネットワーキング上の連絡先に関連付けられたチェックインアクティビティを選択してもよい。本願明細書に参照によりその全体をあらゆる目的で援用する米国特許出願第１２／８５８８１７号には、本発明の様々な実施形態に関連して使用することができるジオソーシャルネットワーキングシステムの一例が記載されている。チェックインアクティビティは、ユーザプロファイルページおよび、ソーシャルネットワーキングシステムのユーザに提供さ
れるニュースフィードに表示されてもよい。
【００１２】
さらに、ユーザの携帯デバイス上でホストされている専用クライアントアプリケーションを、携帯デバイスの位置データを連続してキャプチャしてその位置データをソーシャルネットワーキングシステムに送信するように構成することができる。このようにして、ソーシャルネットワーキングシステムは、ユーザの位置を追跡し、ユーザの経路に近接する場所またはユーザが頻繁に訪れる場所に関する様々な推奨事項をユーザに提供してもよい。一実施形態では、ユーザはこの推奨サービスに加入し、それによってクライアントアプリケーションにユーザの位置データをソーシャルネットワーキングシステムに対して周期的に投稿させるようにすることも可能である。
【００１３】
ユーザの携帯デバイスで稼働させている専用クライアントアプリケーションの特定の実施形態では、携帯デバイス内のマイクロフォンまたはセンササブシステムを使用して周囲音波形データを連続的にまたは周期的にキャプチャするように構成することができる。特定の実施形態では、携帯デバイスが周囲音の波形分析を行い、周囲波形データに基づいて呼出音の音量または振動モードなどのデバイス設定を調整することができる。特定の実施形態では、クライアントデバイスは、呼出音を周囲音レベルに一致するかまたはそれを僅かに超えるように自動的に対応させ、それによって呼出音が騒音の大きい環境でも聞き取れる可能性や静かな環境で適切なレベルになる可能性を高めることができる。特定の実施形態では、携帯デバイスの自己決定済み位置を利用してデバイス設定を調整することができる。例えば、ユーザのＧＰＳによってユーザが映画館にいることが示される場合、デバイスは自動的に呼出音をオフにしてもよい。
【００１４】
特定の実施形態では、ソーシャルネットワーキングシステムへのコンパクトで帯域効率のよい送信のために、携帯デバイスはキャプチャ済み周囲波形の波形フィンガープリントを生成することができる。特定の実施形態では、受信した波形フィンガープリントを、オブジェクト波形のデータベースと照合してもよい。例えば、ユーザが特定の位置に存在しており、ユーザの携帯デバイスによってアップロードされた波形フィンガープリントが、音データベースの特定の楽曲の記憶済みフィンガープリントと一致する場合、ソーシャルネットワーキングシステムは、ユーザが現在その楽曲を聴いていると決定してもよい。
【００１５】
特定の実施形態では、データベース情報、波形照合、およびユーザのＧＰＳデータの組み合わせを利用して、ユーザのデバイス設定を調整することができる。例えば、ＧＰＳデバイスは屋内では機能しないことが多い。したがって、ユーザの最後に報告された位置が映画館の付近であって映画館内ではない場合もある。ユーザデバイスの報告された位置が映画館の付近であり、ユーザの波形フィンガープリントが特定の映画のサウンドトラックと一致する場合、ソーシャルネットワーキングシステムは、ユーザの近くに存在する映画館の上映時間のオンラインデータベースにアクセスしてもよい。アップロードされた波形フィンガープリントからのタイムスタンプ、一致する映画、およびＧＰＳ位置に基づいて、ソーシャルネットワークは、ユーザが例えば、ＡＭＣ３０で「トゥルーグリット（Ｔｒｕｅ  Ｇｒｉｔ）」の午後５時３０分の上映を鑑賞していると決定することができる。したがってデバイスは、自動的に呼出音をオフにすることができる。
【００１６】
さらに、特定の実施形態では、ソーシャルネットワーキングシステムがクライアントデバイスまたは携帯デバイスから波形フィンガープリントを受信し、波形フィンガープリントの分析を行い、向上させたソーシャル機能をデバイスのユーザに提供してもよい。特定の実施形態では、クライアントデバイスが決定したクライアントデバイス決定位置の精度を波形分析により高めることができる。例えば、ユーザが特定の現場にいる場合、ユーザの携帯デバイスによってキャプチャされた波形フィンガープリントが他のユーザによってアップロードされた波形フィンガープリントと一致する。他のユーザの位置のうちのいず
れかの位置が集中している場合、またはユーザの１人がチェックイン操作、イベントへの登録またはコメントによって自分がその現場にいるという明示的なネットワーク上の記述を行った場合、ソーシャルネットワーキングシステムは、ユーザの不正確な決定済み位置を更新しその精度を高めることができる。特定の実施形態では、携帯デバイスは、ソーシャルネットワーキングシステムから受信した位置に基づいてデバイスの設定値を調整することができる。
【００１７】
特定の実施形態では、ソーシャルネットワーキングシステムからの情報を活用してデバイス設定を調整してもよい。特定の実施形態では、ユーザのプロファイルおよびソーシャルネットワーク上での行動からの情報を利用してユーザのデバイス設定を調整することができる。例えば、ユーザが公共図書館にチェックインした場合、デバイスは呼出音を自動的にオフにすることができる。あるいは、ユーザがスポーツイベントにチェックインまたはタグ付けされた場合、デバイスは呼出音の音量を上げてもよい。さらに、ソーシャルネットワーキングシステムの他のユーザからの情報を活用することができる。例えば、波形分析により複数のユーザが同じ位置に存在すると決定され、そのユーザのうちの１人が、コメント、チェックイン、自分の状況の更新、タグ付けなどによってイベントの種類に関する発信を行った場合、その位置に存在すると決定済みのすべてのユーザが自分のデバイス設定を自動的に変更されてもよい。
【００１８】
図１に、例示のソーシャルネットワーキングシステムを示す。特定の実施形態では、ソーシャルネットワーキングシステムは、ユーザプロファイルデータおよびソーシャルグラフ情報をユーザプロファイルデータベース１０１に記憶することができる。特定の実施形態では、ソーシャルネットワーキングシステムは、ユーザイベントデータをイベントデータベース１０２に記憶することができる。例えば、ユーザは、クライアントアプリケーションにアクセスしてイベント名、時刻および位置を定義することによって新たなイベントを登録し、新たに作成されたイベントをイベントデータベース１０２に記憶させることができる。特定の実施形態では、ソーシャルネットワーキングシステムは、ユーザプライバシポリシデータをプライバシデータベース１０３に記憶することができる。特定の実施形態では、ソーシャルネットワーキングシステムは、地理データおよび位置データを位置データベース１０４に記憶することができる。特定の実施形態では、ソーシャルネットワーキングシステムは、様々な楽曲、テレビ番組、サウンドトラック、映画、演奏などの音波形、すなわち、音波形フィンガープリントを、音データベース１０５に記憶することができる。特定の実施形態では、データベース１０１、１０２、１０３、１０４および１０５はソーシャルネットワーキングシステムのフロントエンドに動作可能に接続されてもよい。特定の実施形態では、ソーシャルネットワーキングシステムは、アップロードされた波形フィンガープリントを音データベース１０５に記憶されている波形、すなわち、波形フィンガープリントと照合する波形照合アプリケーション１１８も含む。
【００１９】
特定の実施形態では、フロントエンド１２０はネットワーククラウド１２１を通じてクライアントデバイス１２２と対話することができる。クライアントデバイス１２２は、一般に、コンピュータネットワークを通じて通信（例えば遠隔通信）するための機能を備えるコンピュータまたはコンピューティングデバイスである。クライアントデバイス１２２は、デスクトップコンピュータ、ラップトップコンピュータ、携帯情報端末（ＰＤＡ）、車載または車外ナビゲーションシステム、スマートフォン、またはその他のセルラーまたは携帯電話、携帯ゲームデバイスなどの適切なコンピューティングデバイスであってもよい。クライアントデバイス１２２は、ウェブブラウザ（例えばマイクロソフトウィンドウズ（登録商標）インターネットエクスプローラ（Ｍｉｃｒｏｓｏｆｔ  Ｗｉｎｄｏｗｓ（登録商標）Ｉｎｔｅｒｎｅｔ  Ｅｘｐｌｏｒｅｒ）、モジラファイアフォックス（Ｍｏｚｉｌｌａ  Ｆｉｒｅｆｏｘ）、アップルサファリ（Ａｐｐｌｅ  Ｓａｆａｒｉ）、グーグルクローム（Ｇｏｏｇｌｅ  Ｃｈｒｏｍｅ）、およびオペラ（Ｏｐｅｒａ）など）または
専用クライアントアプリケーション（例えばアイフォン用のフェースブック（Ｆａｃｅｂｏｏｋ（登録商標）ｆｏｒ  ｉＰｈｏｎｅ（登録商標））など）などの１または複数のクライアントアプリケーションを実行して、コンピュータネットワークを通じてコンテンツにアクセスし、閲覧することができる。フロントエンド１２０は、ユーザがソーシャルネットワーキングシステムにアクセスすることができるようにするためにウェブまたはＨＴＴＰサーバ機能および他の機能を備えることができる。ネットワーククラウド１２１は、クライアントデバイス１２２がそれを通じてソーシャルネットワークシステムにアクセスすることができるネットワークまたはネットワークの集合（インターネットまたは企業内イントラネット、またはその両方の組み合わせなど）を一般に表す。
【００２０】
特定の実施形態では、位置データベース１０４は、各場所が名前、地理的位置、およびメタ情報（最初にその場所を作成したユーザ、レビュー、コメント、チェックインアクティビティデータなど）を含む、場所の情報ベースを記憶することができる。場所は、システムの管理者および／またはシステムのユーザによって作成されてもよい。例えば、ユーザがクライアントアプリケーションにアクセスして場所名を定義することによって新たな場所を登録し、地理的位置を提供し、新たに作成された場所を位置データベース１０４に登録させることができる。前述のように、作成された場所はハブノードに対応してもよく、管理者は、場所に関する情報を補強する目的のためおよびユーザに配信する広告またはその他の提案を作成するためにハブノードを要する。特定の実施形態では、システムのフロントエンド１２０がユーザの要求に応じて場所のウェブページを構築し、提供することができる。いくつかの実施形態では、場所のウェブページは、ユーザがその場所に「いいね」を付与したりチェックインしたりするために選択可能な構成要素を含み得る。特定の実施形態では、位置データベース１０４は、チェックインに関連付けられたユーザの実際の地理的位置を識別する地理的位置情報データを記憶してもよい。例えば、インターネット接続されたコンピュータの地理的位置をコンピュータのＩＰアドレスによって識別することができる。例えば、セルラー機能、Ｗｉ−Ｆｉ機能および／またはＧＰＳ機能を備えた携帯電話の地理的位置は、基地局三角測量、Ｗｉ−Ｆｉ測位、および／またはＧＰＳ測位によって識別することができる。特定の実施形態では、位置データベース１０４は、複数の場所の地理的位置および付加的情報を記憶してもよい。例えば、場所は、地域企業、観光スポット（例えば米国カリフォルニア州サンフランシスコのユニオンスクエア）、大学、都市、国立公園などであってもよい。例えば、場所（例えば地域のコーヒーショップ）の地理的位置は、住所、地理座標の組（緯度および経度）、または他の場所への参照（例えば「駅の隣のコーヒーショップ」）であってもよい。例えば面積の広い場所（例えばヨセミテ国立公園）の地理的位置は、その場所の境界線に近似する形状（例えば円または多角形）および／またはその形状の中心であってもよい。例えば、場所の付加的情報は、その場所の営業時間、写真、またはユーザレビューであってもよい。特定の実施形態では、位置データベース１０４は、ユーザの位置データを記憶することができる。例えば、ユーザが場所（例えば新たなレストランまたはコーヒーショップ）を作成し、ソーシャルネットワーキングシステムが作成された場所を位置データベース１０４に記憶することができる。例えば、位置データベース１０４は、ユーザのチェックインアクティビティを記憶することができる。例えば、位置データベース１０４は、ユーザのＧＰＳ付き携帯デバイスによって提供されるユーザの地理的位置を記憶することができる。特定の実施形態では、ソーシャルネットワーキングシステムが、クライアントアプリケーション（上記参照）によって報告されたユーザのユーザプロファイル情報、チェックインアクティビティ、および／または地理的位置データに基づいて、ユーザの１または複数の経路を計算し、その１または複数の経路を位置データベース１０４に記憶することができる。例えば、ソーシャルネットワーキングシステムは、グーグルマップ（Ｇｏｏｇｌｅ  Ｍａｐ）などの地図サービスアプリケーションを使用して、またはユーザが職場まで車を運転する間のユーザのＧＰＳ付き携帯電話からの地理的位置データ点を使用して、ユーザの（ユーザプロファイルデータベース１０１に記憶されているユーザのユーザプロファイル情報に記載された
）自宅と職場との間のユーザの「通勤経路」を計算することができる。
【００２１】
波形照合アプリケーション１１８は、クライアントデバイス１２２によってアップロードされた波形、すなわち波形フィンガープリントを、音データベース１０５内の波形、すなわち波形フィンガープリントと照合する。特定の実施形態では、波形照合アプリケーションは、高速フーリエ変換（ＦＦＴ）または離散コサイン変換（Ｄｉｒｅｃｔ  Ｃｏｓｉｎｅ  Ｔｒａｎｓｆｏｒｍ：ＤＣＴ）を使用した特徴検出を利用する。特定の実施形態では、波形照合のために周波数領域または時間領域の相互相関を使用する。特定の実施形態では、動的波形照合（ｄｙｎａｍｉｃ  ｗａｖｅｆｏｒｍ  ｍａｔｃｈｉｎｇ：ＤＷＭ）を利用して、時間軸上で波形を変位させることができる。特定の実施形態では、波形照合アプリケーション１１８は、音データベース１０５内の波形ファイルの音フィンガープリントを利用する。本開示は、波形、すなわち波形フィンガープリント照合に適した任意の方法またはアルゴリズムを企図する。
【００２２】
図２に、例示のクライアントデバイス１２２を示す。特定の実施形態では、クライアントデバイス１２２は、従来の携帯電話よりも高度なコンピューティング性能と接続性を提供する携帯電話であるスマートフォン（例えばアイフォン（ｉＰｈｏｎｅ）またはブラックベリー（Ｂｌａｃｋｂｅｒｒｙ（登録商標）））であってもよい。これは、携帯電話と一体化した携帯型コンピュータとみなされる。特定の実施形態では、クライアントデバイス１２２はネットブックまたはタブレット型コンピュータ（例えばアイパッド（ｉＰａｄ（登録商標）））であってもよい。特定の実施形態では、クライアントデバイス１２２は無線接続を通じてネットワークに接続することができる。
【００２３】
特定の実施形態では、クライアントデバイス１２２は、ハードウェア２１０およびソフトウェア２２０を備えることができる。特定の実施形態では、ハードウェア２１０は、例えば、プロセッサ２１１、メモリ２１２、ストレージ２１３、送受信機２１４、入出力デバイス２１５（例えばディスプレイ、タッチスクリーン、キーパッド、マイクロフォン、スピーカなど）、カメラ２１６、全地球測位システム（ＧＰＳ）センサ２１７、センサハブ２１８、通知制御スイッチ２１９、ＲＦＩＤリーダー２４１、ＲＦＩＤセンサ２４２、加速度計２４３、光センサ２４４、マイクロフォン２４５（入出力ブロック２１５の一部であってもよい）などの任意の数のハードウェア構成要素を備えることができるが、これらには限定されない。本開示は、任意の適切なハードウェア構成要素を企図する。特定の実施形態では、ユーザのユーザデータの一部または全部をストレージ２１３に記憶することができる。
【００２４】
特定の実施形態では、ソフトウェア２２０はオペレーティングシステム２２１を含むことができ、オペレーティングシステム２２１は、カーネル２３１および／または、クライアントデバイス１２２上で利用可能なハードウェア構成要素の一部に対応する任意の数のデバイスドライバ２３２を含むことができる。オペレーティングシステム２２１は、クライアントデバイス１２２の実際の種類に基づいてクライアントデバイス１２２のために選択されてもよい。例えば、クライアントデバイス１２２が携帯デバイス（例えばスマートフォン）である場合、オペレーティングシステム２２１は、例えばマイクロソフト（Ｍｉｃｒｏｓｏｆｔ）のウィンドウズモバイル（Ｗｉｎｄｏｗｓ  Ｍｏｂｉｌｅ）、グーグル（Ｇｏｏｇｌｅ）のアンドロイド（Ａｎｄｒｏｉｄ（登録商標））、ノキア（Ｎｏｋｉａ）のシンビアン（Ｓｙｍｂｉａｎ）、アップル（Ａｐｐｌｅ）のｉＯＳ、およびサムスン（Ｓａｍｓｕｎ）のバーダ（Ｂａｄａ）などのモバイルオペレーティングシステムであってもよいが、これらには限定されない。
【００２５】
特定の実施形態では、クライアントデバイス１２２上で１または複数のソフトウェアアプリケーション２２３をホストおよび／または実行させることができる。特定の実施形態
では、これらはクライアントデバイス１２２にインストールされて常駐しているネイティブアプリケーションである。例えば、１つのアプリケーション（例えばグーグルマップ（Ｇｏｏｇｌｅ  Ｍａｐｓ））によって、デバイスのユーザが地図を閲覧し、住所や事業所を検索し、道順を知ることができてもよく、第２のアプリケーションによって、デバイスのユーザが電子メールを読み、送信し、受信することができてもよく、第３のアプリケーション（例えばウェブブラウザ）によって、デバイスのユーザがインターネットの閲覧と検索を行うことができてもよく、第４のアプリケーションによって、デバイスのユーザがカメラ２１６を使用して写真撮影や録画をすることができてもよく、第５のアプリケーションによって、デバイスのユーザがＶｏＩＰおよび／またはセルラーネットワーク電話を送受信することができてもよい。特定の実施形態では、デバイスのユーザがクライアントデバイス１２２にプッシュ配信される通知を管理することができるようにするソフトウェアアプリケーション（例えば通知制御２４１）が存在してもよい。各ソフトウェアアプリケーション２２０は、ユーザインタフェースを有し、１または複数の特定の機能を実装してもよい。各ソフトウェアアプリケーション２２０は、個々の機能を実装する１または複数のソフトウェアモジュールを含み得る。通知制御２４１を含むソフトウェアアプリケーション２２０の実行可能コードは、クライアントデバイス１２２上のコンピュータ可読および非一時的媒体（例えばストレージ２１３またはメモリ２１２）に記憶されてもよい。
【００２６】
マイクロフォン２４５およびセンサハブ２１８には音キャプチャプリケーション２４６が動作可能に接続されている。特定の実施形態では、音キャプチャアプリケーション２４６は、音データを連続的にキャプチャし、音特徴検出アルゴリズム（ＦＦＴ／ＤＣＴなど）を使用してそれを波形フィンガープリントに変換する。特定の実施形態では、音キャプチャアプリケーション２４６は、波形データを周期的にのみキャプチャし、そのデータを波形フィンガープリントに変換する。特定の実施形態では、センサハブ２１８が、マイクロフォン２４５を通じて波形データをキャプチャし、その波形を、後で音キャプチャアプリケーション２４５によるフィンガープリント生成に使用するためにストレージ２１３に記憶する。特定の実施形態では、音キャプチャアプリケーション２４６は、ユーザが位置を変更したときにのみ実行される。特定の実施形態では、音キャプチャアプリケーション２４６は、検出された音量が所定のデシベル数を超えたときにのみ実行される。本開示は、周囲音データをキャプチャする任意の適切な方法を企図する。
【００２７】
図３に、クライアントデバイス１２２またはソーシャルネットワーキングシステムが、クライアントデバイス１２２の設定を調整するか否か、およびどのように設定を調整するかを決定するために利用可能な例示のデータソースを示す。データソース３０１〜３０６は、クライアントデバイス１２２がクライアントデバイス１２２のデバイス設定を調整するために単独または互いに任意の組み合わせで利用されてもよい。クライアントデバイス１２２がソーシャルネットワーキングシステムと対話を行わずに、周囲音３０１および自己決定済みデバイス位置３０２が利用されてもよい。例えば、クライアントデバイス１２２の設定を調整する基本的方法は、周囲音３０１にのみ基づく。特定の実施形態では、クライアントデバイス１２２は、周囲音波形をキャプチャし、その環境の平均周囲騒音レベル（例えば９５デシベル）を計算する。特定の実施形態では、クライアントデバイス１２２は呼出音量を周囲騒音レベルと一致するように、または周囲騒音レベルより僅かに高くなるように調整する。特定の実施形態では、周囲騒音が所定の閾値よりも大きいかまたは小さい場合、クライアントデバイス１２２は振動モードをオンにする。
【００２８】
特定の実施形態では、自己決定済みデバイス位置３０２とオンラインデータベース３０６とを組み合わせて利用してデバイス設定を調整する。例えば、クライアントデバイス１２２が特定の現場に関連付けられた経度／緯度位置を報告した場合、クライアントデバイス１２２は現場の種類に基づいて設定値を調整してもよい。例えば、クライアントデバイス１２２の自己決定済み位置が映画館に関連付けられている場合、クライアントデバイス
１２２は呼出音をオフにするか、または振動モードを有効にする。特定の実施形態では、オンラインデータベース３０６はソーシャルネットワーキングシステム内の１または複数のサーバであってもよい。特定の実施形態では、オンラインデータベース３０６は、グーグルマップ（Ｇｏｏｇｌｅ  Ｍａｐｓ）、イェルプ（Ｙｅｌｐ）またはフォースクエア（ＦｏｕｒＳｑｕａｒｅ）などの外部の第三者データベースであってもよい。特定の実施形態では、クライアントデバイス１２２は、ソーシャルネットワーキングシステムからのアクションなしにオンラインデータベース３０６にアクセスする。特定の実施形態では、クライアントデバイス１２２は、ソーシャルネットワーキングシステムを通じてオンラインデータベース３０６にアクセスする。本開示は、オンラインデータベース３０６への任意の適切なアクセス方法および任意の種類のオンラインデータベース３０６を企図する。特定の実施形態では、クライアントデバイス１２２のデバイス設定を調整する際に明示的位置３０３を利用してもよい。明示的位置は、チェックイン、コメント、出欠返信依頼、タグなどにより、クライアントデバイス１２２のユーザが自ら申告したものでもよく、またはユーザをチェックイン、ユーザを写真でタグ付けするなどにより他のユーザが申告したものでもよい。例えば、ソーシャルネットワーキングシステムは、ソーシャルネットワーク上でのユーザのアクションから、クライアントデバイス１２２が特定の位置に存在するかまたは特定のイベントに参加していると決定し、その決定に基づいてデバイス設定を調整することができる。例えば、ユーザは、結婚式またはナイトクラブなど、ソーシャルネットワーク上のイベントにチェックインすることができる。それに応じて、ソーシャルネットワーキングシステムはクライアントデバイス１２２に対してコマンドを発して呼出音量をそれぞれ、小さくまたは大きくすることができる。本開示は、デバイス設定を調整するためにネットワーク上でのアクションを利用する任意の方法を企図する。
【００２９】
特定の実施形態では、波形に基づく位置３０４を利用してデバイス設定を調整してもよい。例えば、クライアントデバイス１２２によってアップロードされた音波形フィンガープリントが、他のユーザによってアップロードされた音波形フィンガープリントと一致する場合、ソーシャルネットワーキングシステムは、クライアントデバイス１２２の位置を訂正し、その訂正された位置に基づいてデバイス設定を調整することができる。特定の実施形態では、他の検出されたユーザの明示的な位置情報３０３を利用してデバイス設定を調整してもよい。この特定の実施形態について、図４、図４Ａおよび図５を参照しながらさらに説明する。
【００３０】
特定の実施形態では、データソース３０１〜３０６の様々な組み合わせを利用してクライアントデバイス１２２の設定を調整することができる。例えば、周囲音３０１を利用して音オブジェクトデータベース１０５内のオブジェクトと照合し、検出済み音オブジェクト３０５を生成する。この検出済み音オブジェクトを、自己決定済み位置３０２、明示的位置３０３、または波形に基づく位置３０４と共に利用して、クライアントデバイス１２２の位置の精度をさらに向上させることができる。これに代えて、またはこれに加えて、オンラインデータベース３０６を利用してクライアントデバイス１２２の位置の精度をさらに向上させ、その後でクライアントデバイス１２２のデバイス設定を調整することもできる。例えば、クライアントデバイスの自己決定済み位置３０２によって公園付近に存在することを示されるユーザは、その公園で演奏しているバンドの楽曲と一致する音波形フィンガープリントをキャプチャし、アップロードしてもよい。クライアントデバイス１２２またはそれに代えてソーシャルネットワーキングシステムが、公園付近の演奏のリストを含むオンラインデータベース３０６にアクセスすることができる。検出済み音オブジェクト３０５とオンラインデータベース３０６内の演奏の１つとの一致を見つけた場合、ソーシャルネットワーキングシステムは、そのユーザが実際に公園に存在しライブ演奏を聴いていることを知り、呼出音量を「高」に調整し、振動モードをオンにすることができる。本開示は、クライアントデバイス１２２の設定を調整するためのデータソース３０１〜３０６の任意の適切な組み合わせを企図する。
【００３１】
図４に、例示の地理的領域４００と、ソーシャルネットワーキングシステムの様々なユーザ４１０、４２０および４３０の地図上の自己報告済み位置とを示す。特定の実施形態では、自己報告済み位置は、クライアントデバイス１２２内のＧＰＳ受信機チップによって計算される。特定の実施形態では、位置はＴＤＯＡまたはその他の位置決定アルゴリズムによって計算される。特定の実施形態では、地理的領域を様々な象限に区分化することができ、ユーザ波形フィンガープリントを、同じ象限内の他のユーザによってアップロードされた波形フィンガープリントと突き合わせて検索することができる。特定の実施形態では、検索領域は、アップロードされたフィンガープリントの振幅または絶対音量に基づく。例えば、アップロードされたフィンガープリントが、ユーザの環境における周囲音が極端に大きいことを示している場合、異なる位置から同じ音を報告しているユーザの数が多いと考えられるため、検索領域を狭めてもよい。特定の実施形態では、ソーシャルネットワーキングシステムはまず、ユーザの友達らによって同時にアップロードされたフィンガープリントを、それらの友達が一緒にいる可能性が高いという想定に基づき、検索する。特定の実施形態では、空間分割アルゴリズムを使用して検索空間を決定してもよい。特定の実施形態では、八分木空間分割アルゴリズムを利用して検索空間に対処する。特定の実施形態では、ｋｄ木を使用する。特定の実施形態では、四分木またはその他の任意のグリッド式の方法を使用する。本開示は、ユーザによってアップロードされたフィンガープリントの検索領域を生成する任意の適切な方法を企図する。
【００３２】
図４では、３人のユーザの自己決定済み位置が地図上に記されている。２人のユーザ４１０および４２０が、自分達の位置がフォックスプラザ内の互いに数メートル以内のところであると報告する。もう１人のユーザ４３０が、自分の位置が通りを隔てた「マーベラス」レストラン付近であると報告する。ユーザ４１０、４２０および４３０は、ソーシャルグラフ上で相互間の明示的なエッジ接続を有していてもいなくてもよい。この例では、ソーシャルネットワーキングシステムは、３人のユーザすべてが生成した波形フィンガープリントの照合を行っている。
【００３３】
図４Ａに、ユーザノード１で表されたユーザ４１０、ユーザノード２で表されたユーザ４２０、およびユーザノード３で表されたユーザ４３０を含むソーシャルグラフの一部の例を示す。３人のユーザ全員からの波形フィンガープリントが一致するため、ソーシャルネットワーキングシステムはこれらのユーザが概して同じ辺りにいるものと想定してもよい。特定の実施形態では、ソーシャルネットワーキングシステムは、３つの波形フィンガープリントすべての振幅を考慮に入れる。例えば、３つの波形フィンガープリントがすべて同じ音量であり、その音量が低い場合、ソーシャルネットワークは、ユーザ４３０のユーザ位置が誤っているものと推測し、ユーザ４３０のクライアントデバイス１２２の訂正された位置を送信してもよい。一方、３つの波形フィンガープリントがすべて同じ音量であり、その音量が極めて高い場合、ソーシャルネットワークは、訂正した位置を送信しなくてもよい。
【００３４】
図４Ａにおいて、ユーザノード１は、イベントページ、この場合は「ジョンとジェーンの結婚式」のために、イベントへの出欠返信依頼を送る、任意の位置にチェックインする、または位置またはイベントにタグ付けされているなどの明示的なネット上のアクションを行っている。したがって、ソーシャルネットワーキングシステムは、ユーザノード１によって送信されたフィンガープリントに一致する波形フィンガープリントを発見すると、一致するフィンガープリントを送信しているユーザも同じ位置におり、同じイベントに参加していることを即座に知る。したがって、ユーザノード２およびユーザノード３を同じ位置に配置し、訂正した位置をユーザノード３（図４のユーザ４３０）に送信することができる。特定の実施形態では、イベントの種類を使用してユーザのデバイス設定を変更するか否かを決定することができる。例えば、ソーシャルネットワーキングシステムは、ユ
ーザノード１、ユーザノード２およびユーザノード３が結婚式に出席していることを知ったとすると、ソーシャルネットワーキングシステムは、クライアントデバイス設定を「消音」または「振動」に自動的に変更するコマンドを送信してもよい。
【００３５】
図５に、周囲波形キャプチャに基づいてデバイス設定を調整する例示の方法を示す。ステップ５０１で、クライアントデバイス１２２のマイクロフォン２４５が音波形を記録する。前述のように、音キャプチャアプリケーション２４６を実行しているプロセッサ２２１、またはセンサハブ２１８内の低電力プロセッサによって波形の記録が行われてもよい。特定の実施形態では、クライアントデバイス１２２は周囲音を絶えず記録し、ストレージ２１３に記憶する。特定の実施形態では、クライアントデバイス１２２は、分析のために周囲音を周期的に記録する。特定の実施形態では、クライアントデバイス１２２は、ＧＰＳセンサ２１７またはその他の位置決定アルゴリズムを通じて位置の変化が検出されるごとに周囲音を記録する。特定の実施形態では、クライアントデバイス１２２は、音が一定の音量を超えるごとに周囲音をキャプチャする。特定の実施形態では、ソーシャルネットワーキングアプリケーションを使用する、ソーシャルネットワーキングウェブサイトを閲覧する、または任意の位置にチェックインするなど、ソーシャルネットワークとのユーザ対話をトリガとして音キャプチャステップ５０１が実行される。本開示は、音キャプチャの開始またはタイミングの任意の適切な方法を企図する。
【００３６】
ステップ５０２で、音キャプチャアプリケーション２４６は波形に対して特徴検出を行い、「波形ＤＮＡ」とも呼ぶ波形特性を分析する。特徴検出ステップ５０２は、特定の実施形態では、音波形のスパイク、特定の周波数帯の優勢または欠如、または波形振幅のその他の傾向を特定することを含んでもよい。特定の実施形態では、特徴検出はＦＦＴまたはＤＣＴによって実装される。特定の実施形態では、その他の周波数領域変換を利用して、波形に高音域または低音域がどの程度存在するかなど波形の重要な特性を特定してもよい。特定の実施形態では、音キャプチャアプリケーション２４６は離散ウェーブレット変換を使用する。特定の実施形態では、音キャプチャアプリケーション２４６は短時間フーリエ変換を利用する。特定の実施形態では、音キャプチャアプリケーション２４６は波形の基本周波数を検出する。特定の実施形態では、音キャプチャアプリケーション２４６は、キャプチャ済み波形から雑音成分をフィルタリングして除去する。特定の実施形態では、音キャプチャアプリケーション２４６は、イベント開始検出の一形式を利用して、キャプチャされた波形のビートモデルを作成する。特定の実施形態では、音キャプチャアプリケーション２４６は、波形のビートヒストグラムを生成する。本開示は、音波形特徴検出の任意の適切な方法またはアルゴリズムを企図する。
【００３７】
ステップ５０３で、１または複数の波形について音「フィンガープリント」を生成する。フィンガープリントは、波形、すなわち波形のセットを集約する小さくロバスト表現である。例えば、特定の実施形態では、毎秒１サンプルで周期的に波形をキャプチャし、分析してもよい。キャプチャ済み各波形を特徴検出のために分析することができ、音キャプチャアプリケーション２４６は、類似した特徴を有するいくつかの波形（恐らくは１００〜２００個の波形）を統合し、楽曲、映像、または映画のサウンドトラックを表す統合波形のフィンガープリントを生成する。特定の実施形態では、音キャプチャアプリケーション２４６は、ベクトル量子化を使用して代表ベクトルを波形フィンガープリントとして生成する。特定の実施形態では、音キャプチャアプリケーション２４６は、シャザム（Ｓｈａｚａｍ）の楽曲認識ソフトウェアで使用されているものなど、スペクトログラムピークを、キャプチャ済み波形フィンガープリントとして利用する。波形フィンガープリントを生成する技法は当技術分野において周知である。本開示は、キャプチャ済みの１または複数の波形のフィンガープリントを生成する任意の適切な方法を企図する。
【００３８】
ステップ５０４で、クライアントデバイス１２２はステップ５０３で生成されたフィン
ガープリントをサーバに送信する。特定の実施形態では、サーバはソーシャルネットワーキングシステムのシステムフロントエンド１２０である。特定の実施形態では、クライアントデバイス１２２は音照合アプリケーション１１８を実行する１または複数のサーバに直接フィンガープリントを送信する。本開示は、波形フィンガープリントを音照合アプリケーション１１８に送信する任意の適切な機構を企図する。ステップ５０５で、音照合アプリケーション１１８を実行する１または複数のサーバは、送信されたフィンガープリントを受信する。
【００３９】
ステップ５０６で、受信したフィンガープリントが音データベース１０５に記憶されているフィンガープリントのデータベースと突き合わせて検索される。特定の実施形態では、音データベース１０５は様々な異なる形式のフィンガープリントを記憶するので、異なる方法によって生成されたフィンガープリントであっても記憶されているフィンガープリントと比較することができる。特定の実施形態では、音データベース１０５は波形を記憶し、記憶されている波形のフィンガープリントが動的に生成される。一致するものが見つからない場合、プロセスはステップ５１２で終了する。一致するものが見つかった場合、ステップ５０７で、一致するフィンガープリントに関連付けられたオブジェクトに関連する情報がソーシャルネットワーキングシステムから引き出される。特定の実施形態では、この情報は音データベース１０５に記憶される。特定の実施形態では、この情報はソーシャルネットワーキングシステム内の別個のオブジェクトデータベースまたはノードデータベースに記憶されてもよい。特定の実施形態では、この情報は音データベース１０５に記憶済みの波形に付加されるメタデータであってもよい。この情報は、アーチスト、楽曲名、アルバム名、録音日などの一般的な特性、および、ユーザの友達のうちの何人の友達が「いいね」を提供し、コメントを寄せ、またはその他の方法でオブジェクトと対話したかなどのソーシャルネットワーク上の特性を含むことができる。特定の実施形態では、この情報はそのアーチストが演奏する他の楽曲またはそのジャンルの他の種類の楽曲であってもよい。本開示は、一致する波形フィンガープリントに関連付けられたオブジェクトに関連する任意の種類の情報を企図する。
【００４０】
ステップ５０８で、ソーシャルネットワーキングシステムは、ソーシャルネットワーキングシステム自体の内部データベースまたは第三者オンラインデータベースで、検出オブジェクトに関する位置情報を検索する。例えば、ソーシャルネットワーキングシステムはクライアントデバイス１２２の自己決定済み位置を知っているため、ソーシャルネットワーキングシステムは検出された音オブジェクトを、一般的な近隣に関連付けられたオンライン音データベース内の項目と照合することによって、クライアントデバイス１２２の位置の精度を向上させることができる。例えば、ユーザが映画館に存在するという明確なネットワーク上の記載が存在しない場合、従来は、ソーシャルネットワーキングシステムは、ユーザが映画館内に存在するのか映画館付近に存在するのかを決定する術がなかった。しかし、ソーシャルネットワーキングシステムが、クライアントデバイス１２２によってキャプチャされた音波形フィンガープリントを特定の映画と照合し、その特定の映画とクライアントデバイス１２２位置とをクライアントデバイス１２２の位置の近くに存在する映画館の上映時間のリストと照合した場合、ソーシャルネットワーキングシステムは、ユーザが特定の映画館で特定の映画を鑑賞しているということを確証することができる。
【００４１】
ステップ５０９で、サーバはこの情報をクライアントデバイス１２２に送信し、ステップ５１０でこの情報がクライアントデバイス１２２で受信される。次に、クライアントデバイス１２２はステップ５１１で、呼出音量を下げる、または振動モードを有効にするなど、クライアントデバイス自体のデバイス設定を調整することができる。
【００４２】
音オブジェクトデータベース１０５は、楽曲のみには限定されない。例えば、ソーシャルネットワーキングシステムは、特定のユーザが映画またはテレビ番組を観ているかを決
定することができる。特定の実施形態では、音オブジェクトデータベース１０５は、ソーシャルネットワークのユーザの音声ごとにフィンガープリントを記憶する。したがって、事前定義された規則に基づいて検出された特定のユーザの音声に基づき、デバイス設定を調整することが可能である。例えば、クライアントデバイス１２２のユーザは、ユーザの雇用主がいるところでは自分のクライアントデバイス１２２を消音モードに設定する明示的規則を設定することができる。これにより、サーバが、検出された音声を音データベース１０５内のユーザの雇用主の音声と照合する場合、デバイスは自動的に消音モードになることができる。
【００４３】
図６に、検出された波形に基づいて精度を向上させたユーザの位置に基づきデバイス設定を調整する例示の方法を示す。この方法は、ステップ６０６までは図５の方法とほぼ同じである。特定の実施形態では、ステップ６０６〜６１０をステップ５０５〜５０９とほぼ同時にまたは並行して実行することができる。
【００４４】
ステップ６０６で、音照合アルゴリズム２４６は、アップロードされた波形を、アップロードしているユーザと同じ概略時間および同じ領域から引き出す。位置は、ＧＰＳ座標、ＴＤＯＡ、またはチェックインなどの自己報告済み位置によって確かめられてもよい。特定の実施形態では、多数のフィンガープリントがアップロードされている領域については地理的検索領域が小さくなる。特定の実施形態では、検索領域はアップロードされたフィンガープリントの振幅または絶対音量に基づく。例えば、アップロードされたフィンガープリントが、ユーザの環境における周囲音が極端に大きいことを示す場合、様々な異なる位置から同じ音を報告しているユーザの数が多いと考えられるため、検索領域を小さくしてもよい。特定の実施形態では、ソーシャルネットワーキングシステムはまず、フィンガープリントを同時にアップロードしたユーザの友達らは一緒にいる可能性がより高いという想定に基づき、ユーザの友達らが同時にアップロードしたフィンガープリントを検索する。特定の実施形態では、フィンガープリントをアップロードしている個々のユーザが地図またはグリッド上にプロットされる。このような実施形態では、空間分割アルゴリズムを利用して検索空間を決定してもよい。特定の実施形態では、八分木空間分割アルゴリズムを使用して検索空間に対処する。特定の実施形態では、ｋｄ木を使用する。特定の実施形態では、四分木またはその他の任意のグリッド式の方法を使用する。本開示は、他のユーザによってアップロードされたフィンガープリントの検索領域を生成する任意の適切な方法を企図する。
【００４５】
ステップ６０８で、一致する１または複数のフィンガープリントを取得すると、ソーシャルネットワーキングシステムは、その１または複数の一致するフィンガープリントに関連付けられた位置データを引き出す。例えば、特定のユーザのアップロードされたフィンガープリントが３人の他のユーザのアップロードされたフィンガープリントと一致し、その３人の他のユーザのうちの１人が特定の位置にチェックインした場合、そのチェックインの位置データを引き出し、チェックインしなかった３人のユーザのクライアントデバイスに送信する。特定の実施形態では、ソーシャルネットワーキングシステムは、一致する波形をアップロードしているユーザらの地理的位置を平均するか、または一致する波形をアップロードしているユーザらのすべての位置に相当する１点を求めてもよい。例えば、３人の他のユーザのアップロードした音フィンガープリントがその特定のユーザのアップロードしたフィンガープリントと一致する場合、ソーシャルネットワーキングシステムは、３人の他のユーザの位置に相当する１点を計算してもよい。特定の実施形態では、ソーシャルネットワーキングシステムは位置の外れ値を検索し、例えば一致するアップロードされたフィンガープリントのある４人のユーザのうちの３人が極めて近く、１人が数百フィート（数十メートル）離れている場合、ソーシャルネットワーキングシステムは外れ値ユーザの位置が不正確であると推測してもよい。ステップ６０９で、ステップ６０８の位置データがクライアントデバイス１２２に送信され、ステップ６１０でクライアントデバ
イス１２２によって受信される。
【００４６】
ステップ６１１で、クライアントデバイス１２２は受信した位置データに基づいてクライアントデバイス自体のデバイス設定を調整する。特定の実施形態では、この設定には、呼出音量の調整、振動の有効化または無効化、画面輝度の調整、様々な無線接続（ブルートゥース（Ｂｌｕｅｔｏｏｔｈ（登録商標））、ワイファイ（Ｗｉ−Ｆｉ）、ワイマックス（ＷｉＭａｘ）、近距離無線通信、またはセル無線）の有効化または無効化、デバイスのロックまたはロック解除、音録音の有効化などが含まれ得る。本開示は、デバイス設定を変更する任意の適切な方法を企図する。
【００４７】
特定の実施形態は、１または複数のコンピュータシステム上に実装されてもよい。図７に、例示のコンピュータシステム７００を示す。特定の実施形態では、１または複数のコンピュータシステム７００が、本開示に記載され、図示される１または複数の方法の１または複数のステップを実行する。特定の実施形態では、１または複数のコンピュータシステム７００が、本開示に記載され、図示される機能を提供する。特定の実施形態では、１または複数のコンピュータシステム７００上で実行されるソフトウェアが、本明細書に記載され、図示される１または複数の方法の１または複数のステップを実行するか、または本明細書に記載され、図示される機能を提供する。特定の実施形態は、１または複数のコンピュータシステム７００の１または複数の部分を含む。
【００４８】
本開示は、任意の適合する数のコンピュータシステム７００を企図する。本開示は、任意の適切な物理的形態を有するコンピュータシステム７００を企図する。例として、コンピュータシステム７００は、組込コンピュータシステム、システムオンチップ（ＳＯＣ）、シングルボードコンピュータ（ＳＢＣ）、（例えばコンピュータオンモジュール（ＣＯＭ）またはシステムオンモジュール（ＳＯＭ）など）、デスクトップコンピュータシステム、ラップトップまたはノートブックコンピュータシステム、対話型キオスク、メインフレーム、メッシュ型コンピュータシステム、携帯電話、携帯情報端末（ＰＤＡ）、サーバ、またはこれらのうちの２以上の組み合わせであってもよいが、これらには限定されない。適切であれば、コンピュータシステム７００は１または複数のコンピュータシステム７００を含むことができ、単独型または分散型、複数の場所にわたって設置されたもの、複数のマシンにわたって設置されたもの、または１または複数のネットワーク内の１または複数のクラウドコンピュータを含むクラウドに常駐するものでもよい。適切であれば、１または複数のコンピュータシステム７００が、実質的な空間的または時間的な限定なしに、本明細書に記載され、図示される１または複数の方法の１または複数のステップを実行することができる。例として、１または複数のコンピュータシステム７００は、本明細書に記載または図示する１または複数の方法の１または複数のステップを、リアルタイムまたはバッチモードで実行してもよいが、これには限定されない。１または複数のコンピュータシステム７００は、適切であれば、本開示に記載または図示する１または複数の方法の１または複数のステップを、異なる時点または異なる場所で実行してもよい。
【００４９】
特定の実施形態では、コンピュータシステム７００は、プロセッサ７０２、メモリ７０４、ストレージ７０６、入出力（Ｉ／Ｏ）インタフェース７０８、通信インタフェース７１０、およびバス７１２を含む。本開示では、特定の構成の特定の数の特定の構成要素を有する特定のコンピュータシステムについて説明および図示しているが、本開示は、任意の構成の任意の適切な数の任意の適切な構成要素を有する任意の適切なコンピュータシステムを企図している。
【００５０】
特定の実施形態では、プロセッサ７０２は、コンピュータプログラムを構成する命令などの命令を実行するためのハードウェアを備える。適切であれば、プロセッサ７０２は１または複数の算術演算論理ユニット（ＡＬＵ）を含むことができ、マルチコアプロセッサ
であってもよく、１または複数のプロセッサ７０２を含んでもよい。本開示では、特定のプロセッサについて記載し、図示しているが、本開示は任意の適切なプロセッサを企図している。
【００５１】
特定の実施形態では、メモリ７０４は、プロセッサ７０２が実行するための命令またはプロセッサ７０２が操作するためのデータを記憶するためのメインメモリを含む。１または複数のメモリバス（各バスがアドレスバスとデータバスとを含み得る）によって、プロセッサ７０２をメモリ７０４に結合することができる。バス７１２は、以下に述べるように、１または複数のメモリバスを含み得る。特定の実施形態では、１または複数のメモリ管理ユニット（ＭＭＵ）が、プロセッサ７０２とメモリ７０との間に常駐し、プロセッサ７０２によって要求されるメモリ７０４へのアクセスを容易にする。特定の実施形態では、メモリ７０４はランダムアクセスメモリ（ＲＡＭ）を含む。このＲＡＭは、適切であれば揮発性メモリであってもよい。適切であれば、このＲＡＭは、ダイナミックＲＡＭ（ＤＲＡＭ）またはスタティックＲＡＭ（ＳＲＡＭ）であってもよい。さらに、適切であれば、このＲＡＭはシングルポートまたはマルチポートＲＡＭであってもよい。本開示では、任意の適切なＲＡＭを企図している。メモリ７０４は、適切であれば、１または複数のメモリ７０４を含むことができる。本開示では、特定のメモリについて記載し、図示しているが、本開示は任意の適切なメモリを企図している。
【００５２】
特定の実施形態では、ストレージ７０６はデータまたは命令のための大容量ストレージを含む。例として、ストレージ７０６はＨＤＤ、フロッピー（登録商標）ディスクドライブ、フラッシュメモリ、光ディスク、磁気光ディスク、磁気テープまたはユニバーサルシリアルバス（ＵＳＢ）ドライブ、またはこれらのうちの２以上の組み合わせを含み得るが、これらには限定されない。ストレージ７０６は、適切であれば、取り外し可能または取り外し不能（または固定）媒体を含むことができる。ストレージ７０６は、適切であれば、コンピュータシステム７００の内部ストレージでも外部ストレージでもよい。特定の実施形態では、ストレージ７０６は不揮発性の固体メモリである。特定の実施形態では、ストレージ７０６は読み出し専用メモリ（ＲＯＭ）を含む。本開示では、任意の適切な物理的形態の大容量ストレージ７０６を企図している。ストレージ７０６は、適切であれば、プロセッサ７０２とストレージ７０６との間の通信を容易にする１または複数の記憶制御ユニットを含み得る。適切であれば、ストレージ７０６は１または複数のストレージ７０６を含むことができる。本開示では特定のストレージについて記載し、図示しているが、本開示は任意の適切なストレージを企図している。
【００５３】
特定の実施形態では、Ｉ／Ｏインタフェース７０８は、コンピュータシステム７００と１または複数のＩ／Ｏデバイスとの間の通信のための１または複数のインタフェースを提供するハードウェア、ソフトウェア、またはその両方を含む。コンピュータシステム７００は、適切であれば、これらのＩ／Ｏデバイスの１または複数を含み得る。これらのＩ／Ｏデバイスの１または複数のＩ／Ｏデバイスは、人間とコンピュータシステム７００との間の通信を可能にすることができる。例として、Ｉ／Ｏデバイスはキーボード、キーパッド、マイクロフォン、モニタ、マウス、プリンタ、スキャナ、スピーカ、静止画像カメラ、スタイラス、タブレット、タッチスクリーン、トラックボール、ビデオカメラ、その他の適切なＩ／Ｏデバイスまたはこれらのうちの２以上の組み合わせを含むことができるが、これらには限定されない。Ｉ／Ｏデバイスは、１または複数のセンサを含み得る。本開示は、任意の適切なＩ／Ｏデバイスおよびそれらのための任意の適切なＩ／Ｏインタフェース７０８を企図している。適切であれば、Ｉ／Ｏインタフェース７０８は、プロセッサ７０２がこれらのＩ／Ｏデバイスの１または複数を駆動することができるようにする１または複数のデバイスドライバまたはソフトウェアドライバを含み得る。Ｉ／Ｏインタフェース７０８は、適切であれば、１または複数のＩ／Ｏインタフェース７０８を含むことができる。本開示では、特定のＩ／Ｏインタフェースについて記載し、図示しているが、本
開示は任意の適切なＩ／Ｏインタフェースを企図している。
【００５４】
特定の実施形態では、通信インタフェース７１０は、コンピュータシステム７００と１または複数の他のコンピュータシステム７００または１または複数のネットワークとの間の通信（例えばパケット方式の通信など）のための１または複数のインタフェースを提供するハードウェア、ソフトウェアまたはその両方を含む。例として、通信インタフェース７１０は、イーサネット（登録商標）（Ｅｔｈｅｒｎｅｔ（登録商標））またはその他の有線ネットワークとの通信のためのネットワークインタフェースコントローラ（ＮＩＣ）またはネットワークアダプタ、または、Ｗｉ−Ｆｉネットワークなどの無線ネットワークとの通信のための無線ネットワークインタフェースコントローラ（ＷＮＩＣ）との通信のためのネットワークインタフェースコントローラ（ＮＩＣ）または無線アダプタを含み得るが、これらには限定されない。本開示では、任意の適切なネットワークおよびそのための任意の適切な通信インタフェース７１０を企図している。例として、コンピュータシステム７００は、アドホックネットワーク、パーソナルエリアネットワーク（ＰＡＮ）、ローカルエリアネットワーク（ＬＡＮ）、ワイドエリアネットワーク（ＷＡＮ）、メトロポリタンエリアネットワーク（ＭＡＮ）、または、インターネットの１または複数の部分、またはこれらのうちの２以上の組み合わせと通信し得るが、これらには限定されない。これらのネットワークのうちの１または複数のネットワークの１または複数の部分は、有線または無線であってもよい。例として、コンピュータシステム７００は、無線ＰＡＮ（ＷＰＡＮ）、（例えばブルートゥース（Ｂｌｕｅｔｏｏｔｈ）ＷＰＡＮなど）、ＷＩ−ＦＩネットワーク、ＷＩＭＡＸネットワーク、セルラー電話ネットワーク（例えばグローバルシステムフォーモバイルコミュニケーションズ（Ｇｌｏｂａｌ  Ｓｙｓｔｅｍ  ｆｏｒ  Ｍｏｂｉｌｅ  Ｃｏｍｍｕｎｉｃａｔｉｏｎ：ＧＳＭ（登録商標））ネットワーク）、またはその他の適切な無線ネットワーク、またはこれらのうちの２以上の組み合わせと通信することができる。コンピュータシステム７００は、適切であれば、これらのネットワークのいずれかに対して任意の適切な通信インタフェース７１０を含むことができる。通信インタフェース７１０は、適切であれば１または複数の通信インタフェース７１０を含み得る。本開示では特定の通信インタフェースについて記載し、図示しているが、本開示は任意の適切な通信インタフェースを企図している。
【００５５】
特定の実施形態では、バス７１２は、コンピュータシステム７００の構成要素を互いに結合するハードウェア、ソフトウェアまたはその両方を含む。バス７１２は、適切であれば１または複数のバス７１２を含むことができる。本開示では、特定のバスについて記載し、図示しているが、本開示は任意の適切なバスまたは相互接続部を企図している。
【００５６】
本開示でコンピュータ可読記憶媒体という場合、それは１または複数の非一時的な有形のコンピュータ可読記憶媒体プロセス構造体を包含する。例として、コンピュータ可読記憶媒体は、適切であれば、半導体ベースまたはその他の集積回路（ＩＣ）、（例えばフィールドプログラマブルゲートアレイ（ＦＰＧＡ）または特殊用途向けＩＣ（ＡＳＩＣ））、ハードディスク、ＨＤＤ、ハイブリッドハードドライブ（ＨＨＤ）、光ディスク、光ディスクドライブ（ＯＤＤ）、磁気光ディスク、磁気光ドライブ、フロッピーディスク、フロッピーディスクドライブ（ＦＤＤ）、磁気テープ、ホログラフィック記憶媒体、半導体ドライブ（ＳＳＤ）、ＲＡＭドライブ、セキュアデジタル（ＳＤ）カード、ＳＤドライブ、またはその他の適切なコンピュータ可読記憶媒体、またはこれらのうちの２以上の組み合わせを含むことができるが、これらには限定されない。本明細書において、コンピュータ可読記憶媒体という場合、それは米国特許法１０１条（３５Ｕ．Ｓ．Ｃ．§１０１）の保護の対象として適格でない媒体を含まない。本明細書において、コンピュータ可読記憶媒体という場合、それは米国特許法１０１条の保護の対象として適格でない限りにおいて、信号送信（電気信号または電磁信号自体の伝播など）の一時的形態を含まない。コンピュータ可読非一時的記憶媒体は、適切であれば、揮発性、不揮発性または、揮発性と不揮
発性の組み合わせであってもよい。
【００５７】
本開示では、任意の適切なストレージを実装する１または複数のコンピュータ可読記憶媒体を企図している。特定の実施形態では、コンピュータ可読記憶媒体は、適切であれば、プロセッサ７０２の１または複数の部分（例えば１または複数の内部レジスタまたはキャッシュなど）、メモリ７０４の１または複数の部分、ストレージ７０６の１または複数の部分、またはこれらの組み合わせを実装する。特定の実施形態では、コンピュータ可読記憶媒体は、ＲＡＭまたはＲＯＭを実装する。特定の実施形態では、コンピュータ可読記憶媒体は、揮発性または持続性メモリを実装する。特定の実施形態では、１または複数のコンピュータ可読記憶媒体はソフトウェアを具現化する。本明細書において、ソフトウェアという場合、それは、適切であれば、１または複数のアプリケーション、バイトコード、１または複数のコンピュータプログラム、１または複数の実行ファイル、１または複数の命令、論理、マシンコード、１または複数のスクリプト，またはソースコードを包含することができ、その逆も当てはまる。特定の実施形態では、ソフトウェアは１または複数のアプリケーションプログラミングインタフェース（ＡＰＩ）を含む。本開示では、任意の適切なプログラミング言語またはプログラミング言語の組み合わせで記述またはその他の方法で表された任意の適切なソフトウェアを企図している。特定の実施形態では、ソフトウェアはソースコードまたはオブジェクトコードとして表される。特定の実施形態では、ソフトウェアは、例えばＣ、パール、またはこれらの適切な拡張版などのハイレベルプログラミング言語で表される。特定の実施形態では、ソフトウェアは、アセンブリ言語（またはマシンコード）などのローレベルプログラミング言語で表される。特定の実施形態では、ソフトウェアはＪａｖａ（登録商標）、ＣまたはＣ＋＋で表される。特定の実施形態では、ソフトウェアはハイパーテキストマークアップ言語（ＨＴＭＬ）、拡張マークアップ言語（ＸＭＬ）またはその他の適切なマークアップ言語で表される。
【００５８】
本明細書において、「または（ｏｒ）」は、別様に明記する場合または文脈により別様に示される場合を除き、包含的であり、排他的ではない。したがって、本明細書において「ＡまたはＢ」は、別様に明記する場合または文脈により別様に示される場合を除き、「ＡまたはＢ、またはその両方」を意味する。また、「および（ａｎｄ）」は、別様に明記する場合または文脈により別様に示される場合を除き、共同と個別的の両方である。したがって、本開示において「ＡおよびＢ」は、別様に明記する場合または文脈により別様に示される場合を除き、「ＡとＢとが共同して、またはＡとＢとが個別に」であることを意味する。
【００５９】
本開示は、本開示に記載の例示の実施形態に対する、当業者が理解すると考えられるすべての変更、代替、変形、改変および修正を包含する。同様に、適切な場合には、添付の特許請求の範囲は、本開示に記載の例示の実施形態に対する、当業者が理解すると考えられるすべての変更、代替、変形、改変および修正を包含する。さらに、添付の特許請求の範囲において、特定の機能を、実行するように適合化された（ａｄａｐｔｅｄ  ｔｏ）、実行するように設定された（ａｒｒａｎｇｅｄ  ｔｏ）、実行可能な（ｃａｐａｂｌｅ  ｏｆ）、実行するように構成された（ｃｏｎｆｉｇｕｒｅｄ  ｔｏ）、実行可能にされた（ｅｎａｂｌｅｄ  ｔｏ）、実行するように動作可能な（ｏｐｅｒａｂｌｅ  ｔｏ）、または、実行するように作動可能な（ｏｐｅｒａｔｉｖｅ  ｔｏ  ｐｅｒｆｏｒｍ）デバイスまたはシステム、またはデバイスまたはシステムの構成要素という場合、それはデバイス、システム、構成要素またはその特定の機能が起動、オン、またはロック解除されているか否かにかかわらず、そのデバイス、システムまたは構成要素がそのように適合化され、設定され、可能であり、構成され、可能にされ、動作可能、または作動可能である限りにおいて、そのデバイス、システム、構成要素を包含する。
【図１】
2014532892.tif 000003
【図２】
2014532892.tif 000004
【図３】
2014532892.tif 000005
【図４】
2014532892.tif 000006
【図４Ａ】
2014532892.tif 000007
【図５】
2014532892.tif 000008
【図６】
2014532892.tif 000009
【図７】
2014532892.tif 000010
【国際調査報告】
2014532892.tif 000011
2014532892.tif 000012